(57)【要約】【課題】プラズマディスプレイ装置において、ＩＣチップで発生する電磁波の影響を減らすことを目的とする。【解決手段】プラズマディスプレイパネルを駆動させるための駆動回路基板が配設されるシャーシ部材２４と、パネルのアドレス電極に表示データを供給するためのＩＣチップ４３と、このＩＣチップ４３が搭載されかつＩＣチップ４３とパネルのアドレス電極とを接続する配線及びＩＣチップ４３を駆動回路に接続するための配線を設けるとともに接地用導体パターンを設けたフレキシブル配線基板４０と、このフレキシブル配線基板４０のＩＣチップ４３が搭載される部分に配設された金属板４６とを有し、金属板４６にフレキシブル配線基板４０の接地用導体パターンを電気的に接続し、かつ金属板４６をシャーシ部材２４に電気的かつ機械的に接続されるようにねじ４８により取り付けたものである。【選択図】図３
2005338707.tif 000002
【特許請求の範囲】
【請求項１】
放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルを駆動させるための駆動回路基板が配設されるシャーシ部材と、前記プラズマディスプレイパネルのアドレス電極に表示データを供給するためのＩＣチップと、このＩＣチップが搭載されかつＩＣチップと前記プラズマディスプレイパネルのアドレス電極とを接続する配線及び前記ＩＣチップを駆動回路に接続するための配線を設けるとともに接地用導体パターンを設けたフレキシブル配線基板と、このフレキシブル配線基板のＩＣチップが搭載される部分に配設された金属板とを有し、前記金属板にフレキシブル配線基板の接地用導体パターンを電気的に接続し、かつ前記金属板を前記シャーシ部材に電気的かつ機械的に接続されるように取付け部材により取り付けたことを特徴とするプラズマディスプレイ装置。
【請求項２】
フレキシブル配線基板の接地用導体パターンに電気的に接続した金属端子板を設け、かつその金属端子板を金属板とともにシャーシ部材に取付け部材により取り付けたことを特徴とする請求項１に記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
まず、プラズマディスプレイ装置におけるプラズマディスプレイパネルの構造について図７を用いて説明する。図７に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００５】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００６】
図８にこのプラズマディスプレイパネルの電極配列を示しており、図８に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【０００７】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００８】
ところで、このような構成のプラズマディスプレイ装置において、プラズマディスプレイのアドレス電極に表示データを供給するアドレスドライバ回路ブロック部分には、プラズマディスプレイパネルのアドレス電極に表示データを供給するためのＩＣチップと、このＩＣチップが搭載されかつプラズマディスプレイパネル及び駆動回路部分とＩＣチップを接続するためのフレキシブル配線基板とが用いられている。また、フレキシブル配線基板には、ＩＣチップの出力端子とプラズマディスプレイパネルのアドレス電極とを接続する出力配線及び前記ＩＣチップの入力端子に接続される入力配線が形成されており、出力配線の一端部はプラズマディスプレイパネルの複数のアドレス電極の電極引出部それぞれに異方導電性接着材などを介して電気的に接続され、入力配線の一端部は駆動回路部と電気的に接続されている（例えば特許文献１参照）。
【特許文献１】特開平１１−１９４７１８号公報
【発明の開示】
【発明が解決しようとする課題】
【０００９】
このような構成のプラズマディスプレイ装置において、アドレスドライバ回路ブロックのＩＣチップには画像表示時、高電圧がかかり、高電流が流れるため、ＩＣチップには大きな電磁波が発生する。従来では入力部の電位がゼロである接地用導体パターンを駆動回路基板の接地パターンに電気的に接続し、その駆動回路基板の接地パターンをシャーシ部材に接続することで接地を行うことにより、この電磁波を軽減させていた。
【００１０】
しかしながら、ＩＣチップで発生した電磁波は、駆動回路基板を通して接地させるため、電磁波を十分に小さくすることが困難であり、この電磁波により駆動回路基板上の他の電気部品の性能に影響を及ぼすという課題があった。
【００１１】
本発明はこのような課題に鑑みなされたもので、ＩＣチップで発生する電磁波の影響を減らすことを目的とするものである。
【課題を解決するための手段】
【００１２】
上記目的を達成するために本発明は、放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルを駆動させるための駆動回路基板が配設されるシャーシ部材と、前記プラズマディスプレイパネルのアドレス電極に表示データを供給するためのＩＣチップと、このＩＣチップが搭載されかつＩＣチップと前記プラズマディスプレイパネルのアドレス電極とを接続する配線及び前記ＩＣチップを駆動回路に接続するための配線を設けるとともに接地用導体パターンを設けたフレキシブル配線基板と、このフレキシブル配線基板のＩＣチップが搭載される部分に配設された金属板とを有し、前記金属板にフレキシブル配線基板の接地用導体パターンを電気的に接続し、かつ前記金属板を前記シャーシ部材に電気的かつ機械的に接続されるように取付け部材により取り付けたことを特徴とする。
【００１３】
また、本発明においては、フレキシブル配線基板の接地用導体パターンに電気的に接続した金属端子板を設け、かつその金属端子板を金属板とともにシャーシ部材に取付け部材により取り付けたことを特徴とするものである。
【発明の効果】
【００１４】
本発明によれば、金属板にフレキシブル配線基板の接地用導体パターンを電気的に接続し、かつ前記金属板を前記シャーシ部材に電気的かつ機械的に接続されるように取付け部材により取り付けたことにより、接地用導体パターンを金属板を介してシャーシ部材に接地することができるため、電磁波を大幅に削減できる。
【発明を実施するための最良の形態】
【００１５】
以下、本発明の一実施の形態によるプラズマディスプレイ装置について、図１〜図６を用いて説明するが、本発明の実施の態様はこれに限定されるものではない。
【００１６】
図１にプラズマディスプレイ装置の全体構成の一例を示している。図において、２０は図６に示す構成のパネルであり、このパネル２０を収容する筐体は、前面枠２１と金属製のバックカバー２２とから構成され、前面枠２１の開口部には光学フィルター及びパネル２０の保護を兼ねたガラスなどからなる前面カバー２３が配置されている。また、この前面カバー２３には電磁波の不要輻射を抑制するために、例えば銀蒸着が施されている。さらに、バックカバー２２には、パネル２０などで発生した熱を外部に放出するための複数の通気孔２２ａが設けられている。
【００１７】
前記パネル２０は、アルミニウムなどからなるシャーシ部材２４の前面に熱伝導シート２５を介して接着することにより保持され、そしてシャーシ部材２４の後面側には、パネル２０を表示駆動させるための複数の回路ブロック２６が取り付けられている。前記熱伝導シート２５は、パネル２０で発生した熱をシャーシ部材２４に効率よく伝え、放熱を行うためのものである。また、回路ブロック２６はパネル２０の表示駆動とその制御を行うための電気回路を備えており、パネル２０の縁部に引き出された電極引出部に、シャーシ部材２４の四辺の縁部を越えて延びる複数のフレキシブル配線基板（図示せず）によって電気的に接続されている。
【００１８】
また、シャーシ部材２４の後面には、回路ブロック２６を取り付けたり、バックカバー２２を固定するためのボス部２４ａがダイカストなどによる一体成型により突設されている。なお、このシャーシ部材２４は、アルミニウム平板に固定ピンを固定して構成してもよい。
【００１９】
図２はこのような構成のプラズマディスプレイ装置において、バックカバー２２を外して内部の配置構造を示す平面図であり、図２においてスキャンドライバ回路ブロック３０はパネル２０のスキャン電極に所定の信号電圧を供給し、サステインドライバ回路ブロック３１はパネル２０のサステイン電極に所定の信号電圧を供給し、アドレスドライバ回路ブロック３２はパネル２０のアドレス電極に所定の信号電圧を供給するもので、スキャンドライバ回路ブロック３０、サステインドライバ回路ブロック３１はシャーシ部材２４の幅方向の両端部にそれぞれ配置され、またアドレスドライバ回路ブロック３２はシャーシ部材２４の高さ方向の下端部に配置されている。
【００２０】
制御回路ブロック３３は、テレビジョンチューナなどの外部機器に接続するための接続ケーブルが着脱可能に接続される入力端子部を備えた入力信号回路ブロック３４から送られる映像信号に基づき、画像データをパネル２０の画素数に応じた画像データ信号に変換してアドレスドライバ回路ブロック３２に供給すると共に、放電制御タイミング信号を発生し、各々スキャンドライバ回路ブロック３０及びサステインドライバ回路ブロック３１に供給し、階調制御などの表示駆動制御を行うもので、シャーシ部材２４のほぼ中央部に配置されている。
【００２１】
電源ブロック３５は、前記各回路ブロックに電圧を供給するもので、前記制御回路ブロック３３と同様、シャーシ部材２４のほぼ中央部に配置され、電源ケーブル（図示せず）が装着されるコネクタ３６を有する電源入力ブロック３７を通して商用電源電圧が供給される。
【００２２】
ブラケット３８はスタンドポールに装着されるもので、シャーシ部材２４の高さ方向の下端部の位置に取り付けられている。据置用のスタンドに取り付けたスタンドポールの先端部をブラケット３８の孔に挿入し、ビスなどによりスタンドポールをブラケット３８に固定することによりスタンドが取り付けられ、これによりパネルを立てた状態で保持されることとなる。
【００２３】
フレキシブル配線基板３９は、パネル２０のスキャン電極、サステイン電極の電極引出部とスキャンドライバ回路ブロック３０、サステインドライバ回路ブロック３１のプリント配線板とを接続するものである。
【００２４】
また、フレキシブル配線基板４０はパネル２０のアドレス電極の電極引出部とアドレスドライバ回路の駆動回路を搭載したプリント配線板とを接続するものであり、それぞれパネル２０の外周部を通して、前面側より背面側に１８０度湾曲させて引き回して配置している。
【００２５】
図３にアドレス電極に表示データを供給するためのアドレスドライバ回路ブロックを側面から見た断面を示し、図４にその平面を示している。図３、図４において、４０は上述したフレキシブル配線基板であり、このフレキシブル配線基板４０は、フレキシブルな屈曲性を有するポリアミド樹脂フィルムなどからなるベースフィルム上に、銅箔などからなる複数本の導体配線４１を形成することにより構成され、その導体配線の一方は、パネル２０のアドレス電極の電極引出部それぞれに異方導電性接着材などにより接続され、他方はアドレスドライバ回路の駆動回路基板に接続される。なお、図４には導体配線４１を図示していないが、４１ａはアドレス電極の電極引出部に接続される端子部、４１ｂは駆動回路基板に接続される端子部である。また、このフレキシブル配線基板４０には、前記導体配線以外に、接地用導体パターン４１ｃが設けられている。さらに、駆動回路基板に接続される側に近い部分には、開口部４２が設けられ、その開口部には導体配線４１の一部が露出している。また、この露出した部分には、Ｓｎ、Ａｕなどがめっきされている。
【００２６】
４３はパネル２０のアドレス電極に表示データを供給するためのＩＣチップであり、このＩＣチップ４３には、入出力端子としてのＡｕなどからなる突起電極４４が設けられており、その突起電極４４を前記フレキシブル配線基板４０の開口部４２に露出した導体配線４１に共晶接続することにより、ＩＣチップ４３がフレキシブル配線基板４０の開口部４２に配設されている。また、このＩＣチップ４３が配設された開口部４２には、ＩＣチップ４３の突起電極４４とフレキシブル配線基板４０の導体配線４１との接続部を覆うようにエポキシ樹脂などの樹脂４５を充填し、機械的なダメージからＩＣチップ４３及び実装部を保護しており、これによりＩＣチップ４３がフレキシブル配線基板４０に搭載されている。
【００２７】
４６はフレキシブル配線基板４０の前記ＩＣチップ４３が搭載される部分に配設したアルミニウム板などの金属板であり、この金属板４６には、ＩＣチップ４３が嵌り込むくぼみ４６ａが設けられており、そのくぼみ４６ａにＩＣチップ４３が配設されるとともに、熱伝導性コンパウンドや熱伝導性接着剤などの熱伝導性部材４７が充填されている。また、この金属板４６は、フレキシブル配線基板４０に耐熱性の両面接着テープなどにより接着されている。さらに、この金属板４６は上述したシャーシ部材２４に取付け部材であるねじ４８により電気的かつ機械的に接続されるように固定されている。
【００２８】
４９はフレキシブル配線基板４０の接地用導体パターン４１ｃを金属板４６に電気的に接続するためのねじで、図４に示すように、３箇所において、フレキシブル配線基板４０の接地用導体パターン４１ｃを金属板４６に電気的に接続している。
【００２９】
なお、この例では、ねじ４９のみでフレキシブル配線基板４０の接地用導体パターン４１ｃを金属板４６に電気的に接続しているが、ねじ４９に座金を挿入して弾性をもって締め付けるようにすれば、周囲温度の変化や振動衝撃に対して、容易にねじ４９が緩むことがなくなり、信頼性を高めることができる。また、ねじ４９の代わりに、金属リベットによりフレキシブル配線基板４０を金属板４６にかしめることにより、フレキシブル配線基板４０の接地用導体パターン４１ｃを金属板４６に電気的に接続してもよい。
【００３０】
さらに、図５、図６に示すように、フレキシブル配線基板４０の接地用導体パターン４１ｃに半田５０により電気的に接続した金属端子板５１を設け、かつその金属端子板５１を金属板４６とともにシャーシ部材２４にねじ４８により取り付ける構成としてもよい。この場合は、金属板４６をシャーシ部材２４に取り付けるねじ４８により、フレキシブル配線基板４０の接地用導体パターン４１ｃを直接シャーシ部材２４に接地することができる。
【００３１】
以上説明した本発明によれば、金属板４６にフレキシブル配線基板４０の接地用導体パターン４１ｃを電気的に接続し、かつその金属板４６を前記シャーシ部材２４に電気的かつ機械的に接続されるようにねじ４８により取り付けたことにより、接地用導体パターン４１ｃを金属板４６を介してシャーシ部材２４に接地することができるため、電磁波を大幅に削減できる。
【産業上の利用可能性】
【００３２】
本発明はＩＣチップで発生する電磁波の影響を減らすことができ、プラズマディスプレイ装置の信頼性を高める上で有用な発明である。
【図面の簡単な説明】
【００３３】
【図１】本発明の一実施の形態によるプラズマディスプレイ装置の内部の配置構造を示す分解斜視図
【図２】同プラズマディスプレイ装置の内部の配置構造を示す平面図
【図３】同プラズマディスプレイ装置のアドレスドライバ回路ブロック部分の構成を示す断面図
【図４】同平面図
【図５】同プラズマディスプレイ装置のアドレスドライバ回路ブロック部分の他の構成例を示す断面図
【図６】同平面図
【図７】プラズマディスプレイ装置のパネルの概略構成を示す斜視図
【図８】同プラズマディスプレイ装置のパネルの電極配列を示す説明図
【符号の説明】
【００３４】
２０  パネル
２４  シャーシ部材
４０  フレキシブル配線基板
４１  導体配線
４３  ＩＣチップ
４６  金属板
４８、４９  ねじ
５１  金属端子板
【図１】
2005338707.tif 000003
【図２】
2005338707.tif 000004
【図３】
2005338707.tif 000005
【図４】
2005338707.tif 000006
【図５】
2005338707.tif 000007
【図６】
2005338707.tif 000008
【図７】
2005338707.tif 000009
【図８】
2005338707.tif 000010